(57)【要約】  本発明はハンドオーバ方法及び装置、コンピュータ記憶媒体を開示し、前記方法は、第１アクセスネットワークと第１コアネットワークとの間の接続を変更せずに維持したまま、前記第１アクセスネットワークから第２アクセスネットワークへの端末のハンドオーバをトリガーするように、第１アクセスネットワーク要素が第２アクセスネットワーク要素へ第１ハンドオーバ要求メッセージを送信することであって、前記端末のデータが前記第２アクセスネットワークの転送によって前記第１アクセスネットワークと前記第１コアネットワークとの間で伝送されることと、前記第１コアネットワークから第２コアネットワークへのハンドオーバをトリガーするように、前記第１アクセスネットワーク要素が第１コアネットワーク要素へ第２ハンドオーバ要求メッセージを送信し、前記端末のデータが前記第２アクセスネットワークと前記第２コアネットワークとの間で伝送されることと、を含む。
2021515439.tif 000002
【特許請求の範囲】
【請求項１】
ハンドオーバ方法であって、
第１アクセスネットワークと第１コアネットワークとの間の接続を変更せずに維持したまま、前記第１アクセスネットワークから第２アクセスネットワークへの端末のハンドオーバをトリガーするように、第１アクセスネットワーク要素が第２アクセスネットワーク要素へ第１ハンドオーバ要求メッセージを送信することであって、前記端末のデータが前記第２アクセスネットワークの転送によって前記第１アクセスネットワークと前記第１コアネットワークとの間で伝送されることと、
前記第１コアネットワークから第２コアネットワークへのハンドオーバをトリガーするように、前記第１アクセスネットワーク要素が第１コアネットワーク要素へ第２ハンドオーバ要求メッセージを送信することであって、前記端末のデータが前記第２アクセスネットワークと前記第２コアネットワークとの間で伝送されることと、を含む、前記ハンドオーバ方法。
【請求項２】
前記第１アクセスネットワークから第２アクセスネットワークへの端末のハンドオーバをトリガーするように、前記第１アクセスネットワーク要素が第２アクセスネットワーク要素へ第１ハンドオーバ要求メッセージを送信することは、
前記第１アクセスネットワーク要素が前記第２アクセスネットワーク要素へ第１ハンドオーバ要求メッセージを送信することと、
前記第１アクセスネットワーク要素が前記第２アクセスネットワーク要素から送信されたハンドオーバ要求確認メッセージを受信することと、
前記第１アクセスネットワーク要素が、前記端末が前記第２アクセスネットワーク要素へハンドオーバ完了メッセージを送信するように、前記端末へハンドオーバ命令を送信することと、
前記第１アクセスネットワーク要素が前記第２アクセスネットワーク要素から送信されたハンドオーバ確認メッセージを受信して、前記第１アクセスネットワークから前記第２アクセスネットワークへの前記端末のハンドオーバを完了することと、を含む
請求項１に記載の方法。
【請求項３】
前記第１ハンドオーバ要求メッセージ、前記ハンドオーバ要求確認メッセージ及び前記ハンドオーバ確認メッセージは、
前記第１アクセスネットワーク要素と前記第２アクセスネットワーク要素との間の直接インターフェースを介して伝送され、又は、
前記第１アクセスネットワーク要素と前記第２アクセスネットワーク要素との間の前記第１コアネットワーク要素及び第２コアネットワーク要素によって転送される
請求項２に記載の方法。
【請求項４】
前記ハンドオーバ要求確認メッセージには前記第２アクセスネットワークが前記端末に割り当てたリソースが含まれる
請求項２又は３に記載の方法。
【請求項５】
前記端末のデータが前記第２アクセスネットワークの転送によって前記第１アクセスネットワークと前記第１コアネットワークとの間で伝送されることは、
前記端末のアップリンクデータが前記第２アクセスネットワークに送信された後、前記第２アクセスネットワークから前記第１アクセスネットワークに転送されて、前記第１アクセスネットワークと前記第１コアネットワークとの間で伝送されることと、
前記端末のダウンリンクデータが前記第１コアネットワークから前記第１アクセスネットワークに送信された後、前記第１アクセスネットワークから前記第２アクセスネットワークに送信されて、前記第２アクセスネットワークによって前記端末に転送されることと、を含む
請求項１〜４のいずれか１項に記載の方法。
【請求項６】
ハンドオーバ方法であって、
第１アクセスネットワークと第１コアネットワークとの間の接続を変更せずに維持したまま、端末が前記第１アクセスネットワークから第２アクセスネットワークにハンドオーバされた後、第１コアネットワーク要素は第１アクセスネットワーク要素から送信された、前記第１コアネットワークから第２コアネットワークへのハンドオーバをトリガーするための第２ハンドオーバ要求メッセージを受信することを含み、前記端末のデータは、前記第１コアネットワークから前記第２コアネットワークへのハンドオーバ後に前記第２アクセスネットワークと前記第２コアネットワークとの間で伝送される、前記ハンドオーバ方法。
【請求項７】
前記第２ハンドオーバ要求メッセージには前記第１アクセスネットワークから前記第２アクセスネットワークへの端末のハンドオーバが完了したことを示すための第１指示メッセージが含まれる
請求項６に記載の方法。
【請求項８】
前記第１コアネットワーク要素が、第１アクセスネットワーク要素から送信された、前記第１コアネットワークから第２コアネットワークへのハンドオーバをトリガーするための第２ハンドオーバ要求メッセージを受信することは、
前記第１コアネットワーク要素が前記第１アクセスネットワーク要素から送信された第２ハンドオーバ要求メッセージを受信した後、セッション管理コンテキスト修正を行うことを示すための第２指示メッセージを第３コアネットワーク要素に送信することと、
前記第２コアネットワーク要素が前記第２コアネットワークにおけるターゲットリンクを確立することをトリガーするように、前記第１コアネットワーク要素が前記第２コアネットワーク要素へ第３ハンドオーバ要求メッセージを送信することと、を含む
請求項６に記載の方法。
【請求項９】
前記第２コアネットワーク要素が前記第２コアネットワークにおけるターゲットリンクを確立することは、
前記第２コアネットワーク要素が第４コアネットワーク要素との間のリンクチャネルを確立することと、
前記第２コアネットワーク要素が前記第２アクセスネットワーク要素との間のリンクチャネルを確立することと、を含む
請求項８に記載の方法。
【請求項１０】
前記第２コアネットワーク要素が前記第２コアネットワークにおけるターゲットリンクを確立した後、前記方法は、更に、
前記第１コアネットワーク要素が前記第２コアネットワーク要素から送信されたターゲットリンク確立完了メッセージを受信して、ユーザープレーン経路のハンドオーバを行うことを第５コアネットワーク要素に通知すること、及び／又は、
前記第２コアネットワーク要素がユーザープレーン経路のハンドオーバを行うことを第６コアネットワーク要素に通知することを含む
請求項８又は９に記載の方法。
【請求項１１】
前記端末のデータが前記第２アクセスネットワークと前記第２コアネットワークとの間で伝送されることは、
前記端末のアップリンクデータが前記第２アクセスネットワークに送信された後、前記第２アクセスネットワークから前記第２コアネットワークに送信されることと、
前記端末のダウンリンクデータが前記第２コアネットワークから前記第２アクセスネットワークに送信された後、前記第２アクセスネットワークから前記端末に送信されることと、を含む
請求項６〜１０のいずれか１項に記載の方法。
【請求項１２】
ハンドオーバ装置であって、
第１アクセスネットワークと第１コアネットワークとの間の接続を変更せずに維持したまま、前記第１アクセスネットワークから第２アクセスネットワークへの端末のハンドオーバをトリガーするように、第２アクセスネットワーク要素へ第１ハンドオーバ要求メッセージを送信するように構成される第１送信ユニットであって、前記端末のデータが前記第２アクセスネットワークの転送によって前記第１アクセスネットワークと前記第１コアネットワークとの間で伝送される第１送信ユニットと、
前記第１コアネットワークから第２コアネットワークへのハンドオーバをトリガーするように、第１コアネットワーク要素へ第２ハンドオーバ要求メッセージを送信するように構成される第２送信ユニットであって、前記端末のデータが前記第２アクセスネットワークと前記第２コアネットワークとの間で伝送される第２送信ユニットと、を備える、前記ハンドオーバ装置。
【請求項１３】
前記装置は、更に、
前記第２アクセスネットワーク要素から送信されたハンドオーバ要求確認メッセージを受信するように構成される第１受信ユニットと、
前記端末が前記第２アクセスネットワーク要素へハンドオーバ完了メッセージを送信するように、前記端末へハンドオーバ命令を送信するように構成される第３送信ユニットと、
前記第２アクセスネットワーク要素から送信されたハンドオーバ確認メッセージを受信して、前記第１アクセスネットワークから前記第２アクセスネットワークへの前記端末のハンドオーバを完了するように構成される第２受信ユニットと、を備える
請求項１２に記載の装置。
【請求項１４】
前記第１ハンドオーバ要求メッセージ、前記ハンドオーバ要求確認メッセージ及び前記ハンドオーバ確認メッセージは、
前記第１アクセスネットワーク要素と前記第２アクセスネットワーク要素との間の直接インターフェースを介して伝送され、又は、
前記第１アクセスネットワーク要素と前記第２アクセスネットワーク要素との間の前記第１コアネットワーク要素及び第２コアネットワーク要素によって転送される
請求項１３に記載の装置。
【請求項１５】
前記ハンドオーバ要求確認メッセージには前記第２アクセスネットワークが前記端末に割り当てたリソースが含まれる
請求項１３又は１４に記載の装置。
【請求項１６】
前記端末のデータが前記第２アクセスネットワークの転送によって前記第１アクセスネットワークと前記第１コアネットワークとの間で伝送されることは、
前記端末のアップリンクデータが前記第２アクセスネットワークに送信された後、前記第２アクセスネットワークから前記第１アクセスネットワークに転送されて、前記第１アクセスネットワークと前記第１コアネットワークとの間で伝送されることと、
前記端末のダウンリンクデータが前記第１コアネットワークから前記第１アクセスネットワークに送信された後、前記第１アクセスネットワークから前記第２アクセスネットワークに送信されて、前記第２アクセスネットワークによって前記端末に転送されることと、を含む
請求項１２〜１５のいずれか１項に記載の装置。
【請求項１７】
ハンドオーバ装置であって、
第１アクセスネットワークと第１コアネットワークとの間の接続を変更せずに維持したまま、端末が前記第１アクセスネットワークから第２アクセスネットワークにハンドオーバされた後、第１アクセスネットワーク要素から送信された、前記第１コアネットワークから第２コアネットワークへのハンドオーバをトリガーするための第２ハンドオーバ要求メッセージを受信するように構成される第１受信ユニットであって、前記端末のデータは、前記第１コアネットワークから前記第２コアネットワークへのハンドオーバ後に前記第２アクセスネットワークと前記第２コアネットワークとの間で伝送される第１受信ユニットを備える、前記ハンドオーバ装置。
【請求項１８】
前記第２ハンドオーバ要求メッセージには前記第１アクセスネットワークから前記第２アクセスネットワークへの端末のハンドオーバが完了したことを示すための第１指示メッセージが含まれる
請求項１７に記載の装置。
【請求項１９】
前記装置は、更に、
セッション管理コンテキスト修正を行うことを示すための第２指示メッセージを第３コアネットワーク要素に送信するように構成される第１送信ユニットと、
前記第２コアネットワーク要素が前記第２コアネットワークにおけるターゲットリンクを確立することをトリガーするように、前記第２コアネットワーク要素へ第３ハンドオーバ要求メッセージを送信するように構成される第２送信ユニットと、を備える
請求項１７に記載の装置。
【請求項２０】
前記第２コアネットワーク要素が前記第２コアネットワークにおけるターゲットリンクを確立することは、
前記第２コアネットワーク要素が第４コアネットワーク要素との間のリンクチャネルを確立することと、
前記第２コアネットワーク要素が前記第２アクセスネットワーク要素との間のリンクチャネルを確立することと、を含む
請求項１９に記載の装置。
【請求項２１】
前記装置は、更に、
前記第２コアネットワーク要素から送信されたターゲットリンク確立完了メッセージを受信するように構成される第２受信ユニットと、
ユーザープレーン経路のハンドオーバを行うことを第５コアネットワーク要素に通知するように構成される通知ユニットと、を備える
請求項１９又は２０に記載の装置。
【請求項２２】
前記端末のデータが前記第２アクセスネットワークと前記第２コアネットワークとの間で伝送されることは、
前記端末のアップリンクデータが前記第２アクセスネットワークに送信された後、前記第２アクセスネットワークから前記第２コアネットワークに送信されることと、
前記端末のダウンリンクデータが前記第２コアネットワークから前記第２アクセスネットワークに送信された後、前記第２アクセスネットワークから前記端末に送信されることと、を含む
請求項１７〜２１のいずれか１項に記載の装置。
【請求項２３】
コンピュータ記憶媒体であって、
コンピュータ実行可能命令が記憶され、前記コンピュータ実行可能命令がプロセッサにより実行されるとき、請求項１〜５のいずれか１項に記載の方法のステップ又は請求項６〜１１のいずれか１項に記載の方法のステップを実現する、前記コンピュータ記憶媒体。
【発明の詳細な説明】
【技術分野】
【０００１】
本発明は無線通信技術分野に関し、特にハンドオーバ方法及び装置、コンピュータ記憶媒体に関する。
【背景技術】
【０００２】
次世代の移動通信（ＮＧ：Ｎｅｘｔ  Ｇｅｎｅｒａｔｉｏｎ）システムにおいて、アクセスネットワーク（ＲＡＮ：Ｒａｄｉｏ  Ａｃｃｅｓｓ  Ｎｅｔｗｏｒｋ）は５Ｇ基地局（ｇＮＢ）と４Ｇ基地局（ｅＮＢ）とが５Ｇコアネットワーク（５Ｇ  ＣＮ：５Ｇ  Ｃｏｒｅ  Ｎｅｔｗｏｒｋ）に同時にアクセスされ又は５Ｇコアネットワークにそれぞれアクセスされるシーンを含んでもよく、図１に示されるとおりである。５Ｇ基地局（例えば、図１における５Ｇ  ＲＡＮ）は、アクセス及び移動性管理機能（ＡＭＦ：Ｃｏｒｅ  Ａｃｃｅｓｓ  ａｎｄ  Ｍｏｂｉｌｉｔｙ  Ｍａｎａｇｅｍｅｎｔ  Ｆｕｎｃｔｉｏｎ）を有するエンティティへ送信したハンドオーバ要求（ＨＯ  Ｒｅｑｕｉｒｅ：Ｈａｎｄｏｖｅｒ  Ｒｅｑｕｉｒｅ）メッセージにおけるターゲットアドレス（Ｔａｒｇｅｔ  ｉｄ）が４Ｇ基地局アドレス（ｅＮＢ  ｉｄ）であって、前記４Ｇ基地局が５Ｇ  ＣＮにアクセスされるだけでなく、４Ｇコアネットワーク（ＥＰＣ：Ｅｖｏｌｖｅｄ  Ｐａｃｋｅｔ  Ｃｏｒｅ）にもアクセスされる場合、ＡＭＦが現在無線アクセス技術（ＲＡＴ：ｒａｄｉｏ  ａｃｃｅｓｓ  ｔｅｃｈｎｏｌｏｇｙ）ハンドオーバ（つまり、５Ｇ  ＣＮが変化せず、基地局がｇＮＢからｅＮＢになる）を行うか、それともシステム（Ｓｙｓｔｅｍ）ハンドオーバ（つまり、コアネットワークが５Ｇ  ＣＮからＥＰＣになる）を行うかを判断できない。
【０００３】
なお、Ｓｙｓｔｅｍハンドオーバを行う必要がある場合、必ず５Ｇ  ＣＮからＥＰＣにハンドオーバするハンドオーバプロセスを実行しなければならず、同様に、ＥＰＣから５Ｇ  ＣＮにハンドオーバする場合にも、対応するハンドオーバプロセスを実行する必要がある。従来のシステム間（すなわち、コアネットワーク間）のハンドオーバ過程において、ターゲットネットワークリンク及びリソース準備段階のステップが多すぎることとなり、端末の移動速度が速すぎる場合、ハンドオーバ命令の送信が遅くなって、ハンドオーバに失敗した恐れがある。そして、コアネットワークのハンドオーバプロセスの時間がより長いため、サービスが中断され又は遅延がより長くなるという欠点を有する。
【発明の概要】
【発明が解決しようとする課題】
【０００４】
上記技術的問題を解決するために、本発明の実施例はハンドオーバ方法及び装置、コンピュータ記憶媒体を提供する。
【課題を解決するための手段】
【０００５】
本発明の実施例に係るハンドオーバ方法であって、
第１アクセスネットワークと第１コアネットワークとの間の接続を変更せずに維持したまま、前記第１アクセスネットワークから第２アクセスネットワークへの端末のハンドオーバをトリガーするように、第１アクセスネットワーク要素が第２アクセスネットワーク要素へ第１ハンドオーバ要求メッセージを送信することであって、前記端末のデータが前記第２アクセスネットワークの転送によって前記第１アクセスネットワークと前記第１コアネットワークとの間で伝送されることと、
前記第１コアネットワークから第２コアネットワークへのハンドオーバをトリガーするように、前記第１アクセスネットワーク要素が第１コアネットワーク要素へ第２ハンドオーバ要求メッセージを送信することであって、前記端末のデータが前記第２アクセスネットワークと前記第２コアネットワークとの間で伝送されることと、を含む。
【０００６】
本発明の実施例では、前記第１アクセスネットワークから第２アクセスネットワークへの端末のハンドオーバをトリガーするように、前記第１アクセスネットワーク要素が第２アクセスネットワーク要素へ第１ハンドオーバ要求メッセージを送信することは、
前記第１アクセスネットワーク要素が前記第２アクセスネットワーク要素へ第１ハンドオーバ要求メッセージを送信することと、
前記第１アクセスネットワーク要素が前記第２アクセスネットワーク要素から送信されたハンドオーバ要求確認メッセージを受信することと、
前記第１アクセスネットワーク要素が、前記端末が前記第２アクセスネットワーク要素へハンドオーバ完了メッセージを送信するように、前記端末へハンドオーバ命令を送信することと、
前記第１アクセスネットワーク要素が前記第２アクセスネットワーク要素から送信されたハンドオーバ確認メッセージを受信して、前記第１アクセスネットワークから前記第２アクセスネットワークへの前記端末のハンドオーバを完了することと、を含む。
【０００７】
本発明の実施例では、前記第１ハンドオーバ要求メッセージ、前記ハンドオーバ要求確認メッセージ及び前記ハンドオーバ確認メッセージは、
前記第１アクセスネットワーク要素と前記第２アクセスネットワーク要素との間の直接インターフェースを介して伝送され、又は、
前記第１アクセスネットワーク要素と前記第２アクセスネットワーク要素との間の前記第１コアネットワーク要素及び第２コアネットワーク要素によって転送される。
【０００８】
本発明の実施例では、前記ハンドオーバ要求確認メッセージには前記第２アクセスネットワークが前記端末に割り当てたリソースが含まれる。
【０００９】
本発明の実施例では、前記端末のデータが前記第２アクセスネットワークの転送によって前記第１アクセスネットワークと前記第１コアネットワークとの間で伝送されることは、
前記端末のアップリンクデータが前記第２アクセスネットワークに送信された後、前記第２アクセスネットワークから前記第１アクセスネットワークに転送されて、前記第１アクセスネットワークと前記第１コアネットワークとの間で伝送されることと、
前記端末のダウンリンクデータが前記第１コアネットワークから前記第１アクセスネットワークに送信された後、前記第１アクセスネットワークから前記第２アクセスネットワークに送信されて、前記第２アクセスネットワークによって前記端末に転送されることと、を含む。
【００１０】
本発明の実施例に係るハンドオーバ方法であって、
第１アクセスネットワークと第１コアネットワークとの間の接続を変更せずに維持したまま、端末が前記第１アクセスネットワークから第２アクセスネットワークにハンドオーバされた後、第１コアネットワーク要素は第１アクセスネットワーク要素から送信された、前記第１コアネットワークから第２コアネットワークへのハンドオーバをトリガーするための第２ハンドオーバ要求メッセージを受信することを含み、前記端末のデータは、前記第１コアネットワークから前記第２コアネットワークへのハンドオーバ後に前記第２アクセスネットワークと前記第２コアネットワークとの間で伝送される。
【００１１】
本発明の実施例では、前記第２ハンドオーバ要求メッセージには前記第１アクセスネットワークから前記第２アクセスネットワークへの端末のハンドオーバが完了したことを示すための第１指示メッセージが含まれる。
【００１２】
本発明の実施例では、前記第１コアネットワーク要素が第１アクセスネットワーク要素から送信された、前記第１コアネットワークから第２コアネットワークへのハンドオーバをトリガーするための第２ハンドオーバ要求メッセージを受信することは、
前記第１コアネットワーク要素が前記第１アクセスネットワーク要素から送信された第２ハンドオーバ要求メッセージを受信した後、セッション管理コンテキスト修正を行うことを示すための第２指示メッセージを第３コアネットワーク要素に送信することと、
前記第２コアネットワーク要素が前記第２コアネットワークにおけるターゲットリンクを確立することをトリガーするように、前記第１コアネットワーク要素が前記第２コアネットワーク要素へ第３ハンドオーバ要求メッセージを送信することと、を含む。
【００１３】
本発明の実施例では、前記第２コアネットワーク要素が前記第２コアネットワークにおけるターゲットリンクを確立することは、
前記第２コアネットワーク要素が第４コアネットワーク要素との間のリンクチャネルを確立することと、
前記第２コアネットワーク要素が前記第２アクセスネットワーク要素との間のリンクチャネルを確立することと、を含む。
【００１４】
本発明の実施例では、前記第２コアネットワーク要素が前記第２コアネットワークにおけるターゲットリンクを確立した後、前記方法は、更に、
前記第１コアネットワーク要素が前記第２コアネットワーク要素から送信されたターゲットリンク確立完了メッセージを受信して、ユーザープレーン経路のハンドオーバを行うことを第５コアネットワーク要素に通知すること、及び／又は、
前記第２コアネットワーク要素がユーザープレーン経路のハンドオーバを行うことを第６コアネットワーク要素に通知することを含む。
【００１５】
本発明の実施例では、前記端末のデータが前記第２アクセスネットワークと前記第２コアネットワークとの間で伝送されることは、
前記端末のアップリンクデータが前記第２アクセスネットワークに送信された後、前記第２アクセスネットワークから前記第２コアネットワークに送信されることと、
前記端末のダウンリンクデータが前記第２コアネットワークから前記第２アクセスネットワークに送信された後、前記第２アクセスネットワークから前記端末に送信されることと、を含む。
【００１６】
本発明の実施例に係るハンドオーバ装置であって、
第１アクセスネットワークと第１コアネットワークとの間の接続を変更せずに維持したまま、前記第１アクセスネットワークから第２アクセスネットワークへの端末のハンドオーバをトリガーするように、第２アクセスネットワーク要素へ第１ハンドオーバ要求メッセージを送信するように構成される第１送信ユニットであって、前記端末のデータが前記第２アクセスネットワークの転送によって前記第１アクセスネットワークと前記第１コアネットワークとの間で伝送される第１送信ユニットと、
前記第１コアネットワークから第２コアネットワークへのハンドオーバをトリガーするように、第１コアネットワーク要素へ第２ハンドオーバ要求メッセージを送信するように構成される第２送信ユニットであって、前記端末のデータが前記第２アクセスネットワークと前記第２コアネットワークとの間で伝送される第２送信ユニットと、を備える。
【００１７】
本発明の実施例では、前記装置は、更に、
前記第２アクセスネットワーク要素から送信されたハンドオーバ要求確認メッセージを受信するように構成される第１受信ユニットと、
前記端末が前記第２アクセスネットワーク要素へハンドオーバ完了メッセージを送信するように、前記端末へハンドオーバ命令を送信するように構成される第３送信ユニットと、
前記第２アクセスネットワーク要素から送信されたハンドオーバ確認メッセージを受信して、前記第１アクセスネットワークから前記第２アクセスネットワークへの前記端末のハンドオーバを完了するように構成される第２受信ユニットと、を備える。
【００１８】
本発明の実施例では、前記第１ハンドオーバ要求メッセージ、前記ハンドオーバ要求確認メッセージ及び前記ハンドオーバ確認メッセージは、
前記第１アクセスネットワーク要素と前記第２アクセスネットワーク要素との間の直接インターフェースを介して伝送され、又は、
前記第１アクセスネットワーク要素と前記第２アクセスネットワーク要素との間の前記第１コアネットワーク要素及び第２コアネットワーク要素によって転送される。
【００１９】
本発明の実施例では、前記ハンドオーバ要求確認メッセージには前記第２アクセスネットワークが前記端末に割り当てたリソースが含まれる。
【００２０】
本発明の実施例では、前記端末のデータが前記第２アクセスネットワークの転送によって前記第１アクセスネットワークと前記第１コアネットワークとの間で伝送されることは、
前記端末のアップリンクデータが前記第２アクセスネットワークに送信された後、前記第２アクセスネットワークから前記第１アクセスネットワークに転送されて、前記第１アクセスネットワークと前記第１コアネットワークとの間で伝送されることと、
前記端末のダウンリンクデータが前記第１コアネットワークから前記第１アクセスネットワークに送信された後、前記第１アクセスネットワークから前記第２アクセスネットワークに送信されて、前記第２アクセスネットワークによって前記端末に転送されることと、を含む。
【００２１】
本発明の実施例に係るハンドオーバ装置であって、
第１アクセスネットワークと第１コアネットワークとの間の接続を変更せずに維持したまま、端末が前記第１アクセスネットワークから第２アクセスネットワークにハンドオーバされた後、第１アクセスネットワーク要素から送信された、前記第１コアネットワークから第２コアネットワークへのハンドオーバをトリガーするための第２ハンドオーバ要求メッセージを受信するように構成される第１受信ユニットであって、前記端末のデータは、前記第１コアネットワークから前記第２コアネットワークへのハンドオーバ後に前記第２アクセスネットワークと前記第２コアネットワークとの間で伝送される第１受信ユニットを備える。
【００２２】
本発明の実施例では、前記第２ハンドオーバ要求メッセージには前記第１アクセスネットワークから前記第２アクセスネットワークへの端末のハンドオーバが完了したことを示すための第１指示メッセージが含まれる。
【００２３】
本発明の実施例では、前記装置は、更に、
セッション管理コンテキスト修正を行うことを示すための第２指示メッセージを第３コアネットワーク要素に送信するように構成される第１送信ユニットと、
前記第２コアネットワーク要素が前記第２コアネットワークにおけるターゲットリンクを確立することをトリガーするように、前記第２コアネットワーク要素へ第３ハンドオーバ要求メッセージを送信するように構成される第２送信ユニットと、を備える。
【００２４】
本発明の実施例では、前記第２コアネットワーク要素が前記第２コアネットワークにおけるターゲットリンクを確立することは、
前記第２コアネットワーク要素が第４コアネットワーク要素との間のリンクチャネルを確立することと、
前記第２コアネットワーク要素が前記第２アクセスネットワーク要素との間のリンクチャネルを確立することと、を含む。
【００２５】
本発明の実施例では、前記装置は、更に、
前記第２コアネットワーク要素から送信されたターゲットリンク確立完了メッセージを受信するように構成される第２受信ユニットと、
ユーザープレーン経路のハンドオーバを行うことを第５コアネットワーク要素に通知するように構成される通知ユニットと、を備える。
【００２６】
本発明の実施例では、前記端末のデータが前記第２アクセスネットワークと前記第２コアネットワークとの間で伝送されることは、
前記端末のアップリンクデータが前記第２アクセスネットワークに送信された後、前記第２アクセスネットワークから前記第２コアネットワークに送信されることと、
前記端末のダウンリンクデータが前記第２コアネットワークから前記第２アクセスネットワークに送信された後、前記第２アクセスネットワークから前記端末に送信されることと、を含む。
【００２７】
本発明の実施例に係るコンピュータ記憶媒体であって、前記コンピュータ記憶媒体にコンピュータ実行可能命令が記憶され、前記コンピュータ実行可能命令がプロセッサにより実行されるとき、上記ハンドオーバ方法を実現する。
【発明の効果】
【００２８】
本発明の実施例の技術案において、第１アクセスネットワークと第１コアネットワークとの間の接続を変更せずに維持したまま、前記第１アクセスネットワークから第２アクセスネットワークへの端末のハンドオーバをトリガーするように、第１アクセスネットワーク要素が第２アクセスネットワーク要素へ第１ハンドオーバ要求メッセージを送信し、前記端末のデータが前記第２アクセスネットワークの転送によって前記第１アクセスネットワークと前記第１コアネットワークとの間で伝送され、前記第１コアネットワークから第２コアネットワークへのハンドオーバをトリガーするように、前記第１アクセスネットワーク要素が第１コアネットワーク要素へ第２ハンドオーバ要求メッセージを送信し、前記端末のデータが前記第２アクセスネットワークと前記第２コアネットワークとの間で伝送される。本発明の実施例の技術案を採用して、まずアクセスネットワークのハンドオーバを行い、次にコアネットワークのハンドオーバを行うこととなり、このような段階的ハンドオーバ方式はハンドオーバの信頼性を向上させ、サービス遅延を短縮し、ユーザーエクスペリエンスを向上させる。
【図面の簡単な説明】
【００２９】
【図１】図１はＮＧにおけるアクセスネットワークとコアネットワークとの接続アーキテクチャを示す図である。
【図２】図２は接続状態シーンにおけるＳｙｓｔｅｍハンドオーバ（つまり、コアネットワークが５Ｇ  ＣＮからＥＰＣになる）のフローチャートである。
【図３】図３はアイドル状態シーンにおけるＳｙｓｔｅｍハンドオーバ（つまり、コアネットワークが５Ｇ  ＣＮからＥＰＣになる）のフローチャートである。
【図４】図４はＥＰＣと５Ｇ  ＣＮとの間にＮ２６インターフェースがないハンドオーバプロセスの模式図である。
【図５】図５は本発明の実施例のハンドオーバ方法のフローチャート１である。
【図６】図６は本発明の実施例のハンドオーバ方法のフローチャート２である。
【図７】図７は本発明の実施例のハンドオーバ方法のフローチャート３である。
【図８】図８は本発明の実施例のハンドオーバ装置の構造模式図１である。
【図９】図９は本発明の実施例のハンドオーバ装置の構造模式図２である。
【図１０】図１０は本発明の実施例のコンピュータ装置の構造模式図である。
【発明を実施するための形態】
【００３０】
ここで説明される図面は本発明を更に理解するためのものであって、本願の一部となり、本発明の模式的な実施例及びその説明は本発明を解釈するためのものであって、本発明を不適切に制限するものではない。
【００３１】
本発明の実施例の技術案を理解しやすくするために、以下に本発明の実施例に関わる関連技術を説明する。
【００３２】
以下、ＥＰＣと５Ｇ  ＣＮとの間にＮ２６インターフェースがあるかどうかを参照してハンドオーバプロセスを説明する。
【００３３】
１）ＥＰＣと５Ｇ  ＣＮとの間にＮ２６インターフェースがある
図２は接続状態シーンにおけるＳｙｓｔｅｍハンドオーバ（つまり、コアネットワークが５Ｇ  ＣＮからＥＰＣになる）のフローチャートであり、図３はアイドル状態シーンにおけるＳｙｓｔｅｍハンドオーバ（つまり、コアネットワークが５Ｇ  ＣＮからＥＰＣになる）のフローチャートであり、図２及び図３に関わる各ネットワーク要素の意味は以下のとおりである。
【００３４】
ＵＥとは端末、Ｕｓｅｒ  Ｅｑｕｉｐｍｅｎｔを意味し、
Ｅ−ＵＴＲＡＮとは進化型ユニバーサル地上アクセスネットワーク、Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋを意味し、
５Ｇ−ＲＡＮとは５Ｇコアネットワーク、５Ｇ  Ｒａｄｉｏ  Ａｃｃｅｓｓ  Ｎｅｔｗｏｒｋを意味し、
ＡＭＦとはアクセス及び移動性管理機能、Ｃｏｒｅ  Ａｃｃｅｓｓ  ａｎｄ  Ｍｏｂｉｌｉｔｙ  Ｍａｎａｇｅｍｅｎｔ  Ｆｕｎｃｔｉｏｎを意味し、
ＭＭＥとは移動性管理機能、Ｍｏｂｉｌｉｔｙ  Ｍａｎａｇｅｍｅｎｔ  Ｅｎｔｉｔｙを意味し、
ＳＧＷとはサービングゲートウェイ装置、Ｓｅｒｖｉｎｇ  ＧａｔｅＷａｙを意味し、
ＰＧＷ−Ｃとはパケットデータネットワークゲートウェイ−制御プレーン、Ｐａｃｋｅｔ  Ｄａｔａ  Ｎｅｔｗｏｒｋ  ＧａｔｅＷａｙ−Ｃｏｎｔｒｏｌ  ｐｌａｎｅを意味し、
ＳＭＦとはセッション管理機能、Ｓｅｓｓｉｏｎ  Ｍａｎａｇｅｍｅｎｔ  Ｆｕｎｃｔｉｏｎを意味し、
ＰＧＷ−Ｕとはパケットデータネットワークゲートウェイ−ユーザープレーン、Ｐａｃｋｅｔ  Ｄａｔａ  Ｎｅｔｗｏｒｋ  ＧａｔｅＷａｙ−Ｕｓｅｒ  ｐｌａｎｅを意味し、
ＵＰＦとはユーザープレーン機能、Ｕｓｅｒ  Ｐｌａｎｅ  Ｆｕｎｃｔｉｏｎを意味する。
【００３５】
図２に示すように、ＵＥが接続状態にある場合、５Ｇ−ＲＡＮは測定閾値に基づいてハンドオーバをトリガーするタイミングを決定する。５Ｇ−ＲＡＮがハンドオーバをトリガーすると決定する場合、５ＧコアネットワークのＡＭＦへハンドオーバ要求命令を送信し（ステップ１）、５Ｇコアネットワーク側が４Ｇコアネットワーク側とともにリソースの準備を行うこととなり、次に５Ｇ−ＲＡＮが端末へハンドオーバ命令を送信し（ステップ１１ｂ）、それによりＵＥを４Ｇネットワークにハンドオーバする。
【００３６】
図３に示すように、ＵＥがアイドル状態にある場合、ＵＥが４ＧコアネットワークのＭＭＥへトラッキングエリア更新要求（ＴＡＵ  Ｒｅｑｕｅｓｔ）を送信し、ＭＭＥは５Ｇコアネットワークから関連するコンテキスト情報を取得して、４Ｇコアネットワークの位置で更新プロセスを完了することを担う。
【００３７】
２）ＥＰＣと５Ｇ  ＣＮとの間にＮ２６インターフェースがない
図４はＥＰＣと５Ｇ  ＣＮとの間にＮ２６インターフェースがないハンドオーバプロセスの模式図である。
【００３８】
現在、５Ｇ  ＣＮとＥＰＣとがシステム間をハンドオーバする場合、ＥＰＣと５Ｇ  ＣＮとの間にＮ２６インターフェースがなければ、ＵＥの動作は以下の２種類に規定される。
【００３９】
第一は、図４に示すように、ＵＥがネットワーク側から送信された「Ｎ２６なしのハンドオーバをサポートする」という指示を識別できる場合、ＵＥがハンドオーバフラグを持つアタッチ過程（Ａｔｔａｃｈ  ｗｉｔｈ  Ｈａｎｄｏｖｅｒ  ｆｌａｇ）を実行して、５ＧシステムにおけるＰＤＵセッションに対応するアクセスポイントネーム（ＡＰＮ：Ａｃｃｅｓｓ  Ｐｏｉｎｔ  Ｎａｍｅ）／データネットワークネーム（ＤＮＮ：Ｄａｔａ  Ｎｅｔｗｏｒｋ  Ｎａｍｅ）を含み（図４におけるステップ５）、前記アタッチ要求メッセージはネットワーク側がＵＥの用いたＡＰＮ／ＤＮＮに基づいて位置する統合ネットワーク要素ＳＭＦ＋ＰＧＷ−Ｃ、ＵＰＦ＋ＰＧＷ−Ｕ、ＰＣＦ＋ＰＣＲＦを検索するようにトリガーし、それにより統合ネットワーク要素に４ＧのＳＭコンテキストをマッピングさせ、セッションＩＰアドレスの整合性を実現する。
【００４０】
第二は、図４に示すように、ＵＥがネットワーク側から送信された「Ｎ２６なしのハンドオーバをサポートする」という指示を識別できない場合、直接トラッキングエリア更新要求（ＴＡＵ  Ｒｅｑｕｅｓｔ）を行い（図４におけるステップ１及びステップ２）、この時、ネットワーク側がＮ２６インターフェースをサポートしなければ、ネットワーク側がＵＥへトラッキングエリア更新拒絶（ＴＡＵ  Ｒｅｊｅｃｔ）メッセージを送信し、次にＵＥが一般的なアタッチプロセスを開始することとなる。この場合、セッションのＩＰアドレスの整合性が確保されない。
【００４１】
本発明の実施例はハンドオーバ方法を提供し、端末が第１コアネットワーク要素のカバレッジ範囲から第２コアネットワーク要素のカバレッジ範囲に移動した場合、ハンドオーバを２つのステップに分けて実行する。第１ステップは端末のソースアクセスネットワークをターゲットアクセスネットワークにハンドオーバすることであり、第２ステップは端末のソースコアネットワークをターゲットコアネットワークにハンドオーバすることである。
【００４２】
本発明の実施例の以下の技術案において、第１アクセスネットワークはソースアクセスネットワーク、第２アクセスネットワークはターゲットアクセスネットワーク、第１コアネットワークはソースコアネットワーク、第２コアネットワークはターゲットコアネットワークを指す。以下の実施例では、ソースアクセスネットワークとソースコアネットワークとが５Ｇシステムである場合、ターゲットアクセスネットワークとターゲットコアネットワークとが４Ｇシステムである場合を例とする。理解すべきものは、ソースアクセスネットワークとソースコアネットワークとが５Ｇシステムに限らず、ターゲットアクセスネットワークとターゲットコアネットワークとが４Ｇシステムに限らない。
【００４３】
第１アクセスネットワークにおいて、第１アクセスネットワーク要素はソースアクセスネットワーク要素を指す。
【００４４】
第２アクセスネットワークにおいて、第２アクセスネットワーク要素はターゲットアクセスネットワーク要素を指す。
【００４５】
第１コアネットワークにおいて、第１コアネットワーク要素はＡＭＦ、第３コアネットワーク要素はＳＭＦ＋ＰＧＷ−Ｃ（すなわち、ＳＭＦ／ＰＧＷ−Ｃ）、第５コアネットワーク要素はＵＰＦ＋ＰＧＷ−Ｕ（すなわち、ＵＰＦ／ＰＧＷ−Ｕ）を指す。
【００４６】
第２コアネットワークにおいて、第２コアネットワーク要素はＭＭＥ、第４コアネットワーク要素はＳＧＷ、第６コアネットワーク要素はＵＰＦ＋ＰＧＷ−Ｕ（すなわち、ＵＰＦ／ＰＧＷ−Ｕ）を指す。
【００４７】
図５は本発明の実施例のハンドオーバ方法のフローチャート１であり、図５に示すように、前記ハンドオーバ方法は以下のステップを含む。
【００４８】
ステップ５０１において、第１アクセスネットワークと第１コアネットワークとの間の接続を変更せずに維持したまま、前記第１アクセスネットワークから第２アクセスネットワークへの端末のハンドオーバをトリガーするように、第１アクセスネットワーク要素が第２アクセスネットワーク要素へ第１ハンドオーバ要求メッセージを送信し、前記端末のデータが前記第２アクセスネットワークの転送によって前記第１アクセスネットワークと前記第１コアネットワークとの間で伝送される。
【００４９】
ステップ５０１の前に、前記第１アクセスネットワーク要素は端末から送信された測定レポートを受信し、前記測定レポートに基づいてコアネットワークのハンドオーバを行う必要があると決定する。
【００５０】
本発明の実施例では、サービスの遅延要件を満足するために、コアネットワークのハンドオーバを２つのステップに分けて実行し、第１ステップがアクセスネットワークのハンドオーバを行い、つまり、端末が第１アクセスネットワークから第２アクセスネットワークにハンドオーバするとき、前記第１アクセスネットワークと第１コアネットワークとの接続を維持する。
【００５１】
具体的に、端末が第１アクセスネットワークから第２アクセスネットワークにハンドオーバするプロセスは、
１）前記第１アクセスネットワーク要素が前記第２アクセスネットワーク要素へ第１ハンドオーバ要求メッセージを送信し、
２）前記第１アクセスネットワーク要素が前記第２アクセスネットワーク要素から送信されたハンドオーバ要求確認メッセージを受信し、
３）前記第１アクセスネットワーク要素が、前記端末が前記第２アクセスネットワーク要素へハンドオーバ完了メッセージを送信するように、前記端末へハンドオーバ命令を送信し、
４）前記第１アクセスネットワーク要素が前記第２アクセスネットワーク要素から送信されたハンドオーバ確認メッセージを受信して、前記第１アクセスネットワークから前記第２アクセスネットワークへの前記端末のハンドオーバを完了する。
【００５２】
本発明の実施例では、前記第１ハンドオーバ要求メッセージ、前記ハンドオーバ要求確認メッセージ及び前記ハンドオーバ確認メッセージは、
１）前記第１アクセスネットワーク要素と前記第２アクセスネットワーク要素との間の直接インターフェースを介して伝送され、又は、
２）前記第１アクセスネットワーク要素と前記第２アクセスネットワーク要素との間の前記第１コアネットワーク要素及び第２コアネットワーク要素によって転送される。
【００５３】
一実施形態では、前記ハンドオーバ要求確認メッセージには前記第２アクセスネットワークが前記端末に割り当てたリソースが含まれる。
【００５４】
本発明の実施例では、前記端末のデータが前記第２アクセスネットワークの転送によって前記第１アクセスネットワークと前記第１コアネットワークとの間で伝送されることは、
前記端末のアップリンクデータが前記第２アクセスネットワークに送信された後、前記第２アクセスネットワークから前記第１アクセスネットワークに転送されて、前記第１アクセスネットワークと前記第１コアネットワークとの間で伝送されるアップリンク伝送１）と、
前記端末のダウンリンクデータが前記第１コアネットワークから前記第１アクセスネットワークに送信された後、前記第１アクセスネットワークから前記第２アクセスネットワークに送信されて、前記第２アクセスネットワークによって前記端末に転送されるダウンリンク伝送２）と、を含む。
【００５５】
ステップ５０２において、前記第１コアネットワークから第２コアネットワークへのハンドオーバをトリガーするように、前記第１アクセスネットワーク要素が第１コアネットワーク要素へ第２ハンドオーバ要求メッセージを送信し、前記端末のデータが前記第２アクセスネットワークと前記第２コアネットワークとの間で伝送される。
【００５６】
本発明の実施例では、第１コアネットワークが第２コアネットワークにハンドオーバするプロセスは以下のとおりである。
【００５７】
１）前記第１コアネットワーク要素が前記第１アクセスネットワーク要素から送信された第２ハンドオーバ要求メッセージを受信した後、セッション管理コンテキスト修正を行うことを示すための第２指示メッセージを第３コアネットワーク要素に送信し、
２）前記第２コアネットワーク要素が前記第２コアネットワークにおけるターゲットリンクを確立することをトリガーするように、前記第１コアネットワーク要素が前記第２コアネットワーク要素へ第３ハンドオーバ要求メッセージを送信する。
【００５８】
ここで、前記第２コアネットワーク要素が前記第２コアネットワークにおけるターゲットリンクを確立することは、
前記第２コアネットワーク要素が第４コアネットワーク要素との間のリンクチャネルを確立することと、
前記第２コアネットワーク要素が前記第２アクセスネットワーク要素との間のリンクチャネルを確立することと、を含む。
【００５９】
３）前記第１コアネットワーク要素が前記第２コアネットワーク要素から送信されたターゲットリンク確立完了メッセージを受信して、ユーザープレーン経路のハンドオーバを行うことを第５コアネットワーク要素に通知すること、及び／又は、前記第２コアネットワーク要素がユーザープレーン経路のハンドオーバを行うことを第６コアネットワーク要素に通知する。
【００６０】
本発明の実施例では、前記端末のデータが前記第２アクセスネットワークと前記第２コアネットワークとの間で伝送されることは、
前記端末のアップリンクデータが前記第２アクセスネットワークに送信された後、前記第２アクセスネットワークから前記第２コアネットワークに送信されるアップリンク伝送１）と、
前記端末のダウンリンクデータが前記第２コアネットワークから前記第２アクセスネットワークに送信された後、前記第２アクセスネットワークから前記端末に送信されるダウンリンク伝送２）と、を含む。
【００６１】
図６は本発明の実施例のハンドオーバ方法のフローチャート２であり、図６に示すように、前記ハンドオーバ方法は以下のステップを含む。
【００６２】
ステップ６０１、第１アクセスネットワークと第１コアネットワークとの間の接続を変更せずに維持したまま、端末が前記第１アクセスネットワークから第２アクセスネットワークにハンドオーバされた後、第１コアネットワーク要素は第１アクセスネットワーク要素から送信された、前記第１コアネットワークから第２コアネットワークへのハンドオーバをトリガーするための第２ハンドオーバ要求メッセージを受信し、前記端末のデータは、前記第１コアネットワークから前記第２コアネットワークへのハンドオーバ後に前記第２アクセスネットワークと前記第２コアネットワークとの間で伝送される。
【００６３】
一実施形態では、前記第２ハンドオーバ要求メッセージには前記第１アクセスネットワークから前記第２アクセスネットワークへの端末のハンドオーバが完了したことを示すための第１指示メッセージが含まれる。
【００６４】
本発明の実施例では、第１コアネットワークが第２コアネットワークにハンドオーバするプロセスは以下のとおりである。
【００６５】
１）前記第１コアネットワーク要素が前記第１アクセスネットワーク要素から送信された第２ハンドオーバ要求メッセージを受信した後、セッション管理コンテキスト修正を行うことを示すための第２指示メッセージを第３コアネットワーク要素に送信し、
２）前記第２コアネットワーク要素が前記第２コアネットワークにおけるターゲットリンクを確立することをトリガーするように、前記第１コアネットワーク要素が前記第２コアネットワーク要素へ第３ハンドオーバ要求メッセージを送信する。
【００６６】
ここで、前記第２コアネットワーク要素が前記第２コアネットワークにおけるターゲットリンクを確立することは、
前記第２コアネットワーク要素が第４コアネットワーク要素との間のリンクチャネルを確立することと、
前記第２コアネットワーク要素が前記第２アクセスネットワーク要素との間のリンクチャネルを確立することと、を含む。
【００６７】
３）前記第１コアネットワーク要素が前記第２コアネットワーク要素から送信されたターゲットリンク確立完了メッセージを受信して、ユーザープレーン経路のハンドオーバを行うことを第５コアネットワーク要素に通知すること、及び／又は、前記第２コアネットワーク要素がユーザープレーン経路のハンドオーバを行うことを第６コアネットワーク要素に通知する。
【００６８】
本発明の実施例では、前記端末のデータが前記第２アクセスネットワークと前記第２コアネットワークとの間で伝送されることは、
前記端末のアップリンクデータが前記第２アクセスネットワークに送信された後、前記第２アクセスネットワークから前記第２コアネットワークに送信されるアップリンク伝送１）と、
前記端末のダウンリンクデータが前記第２コアネットワークから前記第２アクセスネットワークに送信された後、前記第２アクセスネットワークから前記端末に送信されるダウンリンク伝送２）と、を含む。
【００６９】
以下、具体的な応用例と組み合わせて本発明の実施例の技術案を更に説明する。
【００７０】
図７は本発明の実施例のハンドオーバ方法のフローチャート３であり、図７に示すように、前記ハンドオーバ方法は以下のステップを含む。
【００７１】
ステップ１において、ＵＥが隣接セルを測定し、ネットワークにおける予め設定された測定レポート報告条件を満足する場合、Ｓ−ｇＮＢに測定レポート（ＭＲ）を報告する。
【００７２】
ここで、Ｓ−ｇＮＢがＵＥのソースアクセスネットワーク要素である。
【００７３】
Ｓ−ｇＮＢはＵＥから送信されたＭＲを受信した後、ＭＲに基づいてＳｙｓｔｅｍハンドオーバを行う必要があると判断する。
【００７４】
ステップ２において、Ｓ−ｇＮＢがＴ−ｅＮＢへハンドオーバ要求メッセージ（ＨＯ  ｒｅｑｕｅｓｔ）を送信する。
【００７５】
ここで、Ｔ−ｅＮＢがＵＥのターゲットアクセスネットワーク要素である。
【００７６】
ステップ３において、Ｔ−ｅＮＢはＴ−ｅＮＢが端末に割り当てたリソースを含むハンドオーバ要求確認メッセージ（ＨＯ  ｒｅｑｕｅｓｔ  ＡＣＫ）をＳ−ｇＮＢに送信する。
【００７７】
ステップ４において、Ｓ−ｇＮＢがＵＥへハンドオーバ命令（ＨＯ  ｃｏｍｍａｎｄ）を送信する。
【００７８】
ステップ５において、ＵＥがＴ−ｅＮＢへハンドオーバ完了メッセージ（ＨＯ  ｃｏｍｐｌｅｔｅ）を送信する。
【００７９】
ステップ６において、Ｔ−ｅＮＢはＵＥから送信されたハンドオーバ完了メッセージを受信した後、Ｓ−ｇＮＢへハンドオーバ確認メッセージ（ＨＯ  ｃｏｎｆｉｒｍ）を送信する。
【００８０】
上記ステップでは、Ｓ−ｇＮＢとＴ−ｅＮＢとの間に直接インターフェースがない場合、ステップ２、ステップ３、ステップ６におけるメッセージがＡＭＦ及びＭＭＥによって転送されてもよい。
【００８１】
ステップ７において、Ｓ−ｇＮＢはＴ−ｅＮＢから送信されたハンドオーバ完了メッセージを受信した後、ＡＭＦへコアネットワークリンクハンドオーバ要求を送信し、一実施形態では、コアネットワークリンクハンドオーバ要求には無線インターフェースがハンドオーバを完了した指示メッセージが含まれてもよい。
【００８２】
Ｓ−ｇＮＢがステップ７からＵＥに送信されたユーザープレーンデータをＴ−ｅＮＢに送り、Ｔ−ｅＮＢがデータをＵＥに送信し、Ｔ−ｅＮＢが受信されたＵＥのデータをＳ−ｇＮＢに転送し、Ｓ−ｇＮＢが端末のデータをＡＭＦ（図７における経路２）に送信する。
【００８３】
ステップ８において、ＡＭＦはセッションコンテキストを修正するように要求するセッション管理コンテキスト修正指示をＳＭＦ／ＰＧＷ−Ｃに送信する。
【００８４】
ステップ９において、ＡＭＦはＭＭＥがターゲットリンクを確立するように要求するハンドオーバ要求メッセージをＭＭＥに送信する。
【００８５】
ステップ１０において、ＭＭＥがＳＧＷとの間のリンクチャネルを確立する。
【００８６】
ステップ１１において、ＭＭＥがＴ−ｅＮＢとの間のリンクチャネルを確立する。
【００８７】
ステップ１２において、ＭＭＥはターゲットリンクチャネルの確立が完了したことをＡＭＦに通知する。
【００８８】
ステップ１３ａ＋１３ｂ又はステップ１４ａ＋１４ｂにおいて、ＡＭＦ又はＭＭＥはそれぞれＳＭＦ／ＰＧＷ−Ｃ又はＳＧＷによってユーザープレーン経路のハンドオーバを行うことをＵＰＦ／ＰＧＷ−Ｕに通知する。このステップの後で、ＵＥ及びネットワークのデータがターゲットネットワークリンク（図７における経路３）を介して伝送される。
【００８９】
図８は本発明の実施例のハンドオーバ装置の構造模式図１であり、図８に示すように、前記ハンドオーバ装置は、
第１アクセスネットワークと第１コアネットワークとの間の接続を変更せずに維持したまま、前記第１アクセスネットワークから第２アクセスネットワークへの端末のハンドオーバをトリガーするように、第２アクセスネットワーク要素へ第１ハンドオーバ要求メッセージを送信するように構成される第１送信ユニット８０１であって、前記端末のデータが前記第２アクセスネットワークの転送によって前記第１アクセスネットワークと前記第１コアネットワークとの間で伝送される第１送信ユニット８０１と、
前記第１コアネットワークから第２コアネットワークへのハンドオーバをトリガーするように、第１コアネットワーク要素へ第２ハンドオーバ要求メッセージを送信するように構成される第２送信ユニット８０２であって、前記端末のデータが前記第２アクセスネットワークと前記第２コアネットワークとの間で伝送される第２送信ユニット８０２と、を備える。
【００９０】
一実施形態では、前記装置は、更に、
前記第２アクセスネットワーク要素から送信されたハンドオーバ要求確認メッセージを受信するように構成される第１受信ユニット８０３と、
前記端末が前記第２アクセスネットワーク要素へハンドオーバ完了メッセージを送信するように、前記端末へハンドオーバ命令を送信するように構成される第３送信ユニット８０４と、
前記第２アクセスネットワーク要素から送信されたハンドオーバ確認メッセージを受信して、前記第１アクセスネットワークから前記第２アクセスネットワークへの前記端末のハンドオーバを完了するように構成される第２受信ユニット８０５と、を備える。
【００９１】
一実施形態では、前記第１ハンドオーバ要求メッセージ、前記ハンドオーバ要求確認メッセージ及び前記ハンドオーバ確認メッセージは、
前記第１アクセスネットワーク要素と前記第２アクセスネットワーク要素との間の直接インターフェースを介して伝送され、又は、
前記第１アクセスネットワーク要素と前記第２アクセスネットワーク要素との間の前記第１コアネットワーク要素及び第２コアネットワーク要素によって転送される。
【００９２】
一実施形態では、前記ハンドオーバ要求確認メッセージには前記第２アクセスネットワークが前記端末に割り当てたリソースが含まれる。
【００９３】
一実施形態では、前記端末のデータが前記第２アクセスネットワークの転送によって前記第１アクセスネットワークと前記第１コアネットワークとの間で伝送されることは、
前記端末のアップリンクデータが前記第２アクセスネットワークに送信された後、前記第２アクセスネットワークから前記第１アクセスネットワークに転送されて、前記第１アクセスネットワークと前記第１コアネットワークとの間で伝送されることと、
前記端末のダウンリンクデータが前記第１コアネットワークから前記第１アクセスネットワークに送信された後、前記第１アクセスネットワークから前記第２アクセスネットワークに送信されて、前記第２アクセスネットワークによって前記端末に転送されることと、を含む。
【００９４】
当業者であれば理解すべきものは、図８に示されるハンドオーバ装置の各ユニットの実現機能は上記ハンドオーバ方法の関連説明を参照して理解されてもよい。図８に示されるハンドオーバ装置の各ユニットの機能はプロセッサにおいて実行されるプログラムによって実現されてもよいし、具体的な論理回路によって実現されてもよい。
【００９５】
図９は本発明の実施例のハンドオーバ装置の構造模式図２であり、図９に示すように、前記ハンドオーバ装置は、
第１アクセスネットワークと第１コアネットワークとの間の接続を変更せずに維持したまま、端末が前記第１アクセスネットワークから第２アクセスネットワークにハンドオーバされた後、第１アクセスネットワーク要素から送信された、前記第１コアネットワークから第２コアネットワークへのハンドオーバをトリガーするための第２ハンドオーバ要求メッセージを受信するように構成される第１受信ユニット９０１であって、前記端末のデータは、前記第１コアネットワークから前記第２コアネットワークへのハンドオーバ後に前記第２アクセスネットワークと前記第２コアネットワークとの間で伝送される第１受信ユニット９０１を備える。
【００９６】
一実施形態では、前記第２ハンドオーバ要求メッセージには前記第１アクセスネットワークから前記第２アクセスネットワークへの端末のハンドオーバが完了したことを示すための第１指示メッセージが含まれる。
【００９７】
一実施形態では、前記装置は、更に、
セッション管理コンテキスト修正を行うことを示すための第２指示メッセージを第３コアネットワーク要素に送信するように構成される第１送信ユニット９０２と、
前記第２コアネットワーク要素が前記第２コアネットワークにおけるターゲットリンクを確立することをトリガーするように、前記第２コアネットワーク要素へ第３ハンドオーバ要求メッセージを送信するように構成される第２送信ユニット９０３と、を備える。
【００９８】
一実施形態では、前記第２コアネットワーク要素が前記第２コアネットワークにおけるターゲットリンクを確立することは、
前記第２コアネットワーク要素が第４コアネットワーク要素との間のリンクチャネルを確立することと、
前記第２コアネットワーク要素が前記第２アクセスネットワーク要素との間のリンクチャネルを確立することと、を含む。
【００９９】
一実施形態では、前記装置は、更に、
前記第２コアネットワーク要素から送信されたターゲットリンク確立完了メッセージを受信するように構成される第２受信ユニット９０４と、
ユーザープレーン経路のハンドオーバを行うことを第５コアネットワーク要素に通知するように構成される通知ユニット９０５と、を備える。
【０１００】
一実施形態では、前記端末のデータが前記第２アクセスネットワークと前記第２コアネットワークとの間で伝送されることは、
前記端末のアップリンクデータが前記第２アクセスネットワークに送信された後、前記第２アクセスネットワークから前記第２コアネットワークに送信されることと、
前記端末のダウンリンクデータが前記第２コアネットワークから前記第２アクセスネットワークに送信された後、前記第２アクセスネットワークから前記端末に送信されることと、を含む。
【０１０１】
当業者であれば理解すべきものは、図９に示されるハンドオーバ装置の各ユニットの実現機能は上記ハンドオーバ方法の関連説明を参照して理解されてもよい。図９に示されるハンドオーバ装置の各ユニットの機能はプロセッサにおいて実行されるプログラムによって実現されてもよいし、具体的な論理回路によって実現されてもよい。
【０１０２】
本発明の実施例の上記ハンドオーバ装置はソフトウェア機能モジュールの形式で実現され、独立した製品として販売又は使用されるときは、１つのコンピュータ可読記憶媒体に記憶されてもよい。このような理解に基づき、本発明の実施例の技術案の本質的又は従来技術に貢献する部分はソフトウェア製品の形式で具現されてもよく、前記コンピュータソフトウェア製品は、１台のコンピュータ装置（パーソナルコンピュータ、サーバ又はネットワーク装置等）に本発明の各実施例に記載の方法の全部又は一部を実行させるための若干の命令を含む１つの記憶媒体に記憶される。そして、上記記憶媒体はＵＳＢメモリ、ポータブルハードディスク、読み出し専用メモリ（ＲＯＭ：Ｒｅａｄ  Ｏｎｌｙ  Ｍｅｍｏｒｙ）、磁気ディスク又は光ディスク等のプログラムコードを記憶できる様々な媒体を含む。このように、本発明の実施例はいかなる特定のハードウェア及びソフトウェアの組み合わせに制限されるものではない。
【０１０３】
それに対応して、本発明の実施例は更にコンピュータ記憶媒体を提供し、前記コンピュータ記憶媒体にコンピュータ実行可能命令が記憶され、前記コンピュータ実行可能命令がプロセッサにより実行されるとき、本発明の実施例の上記ハンドオーバ方法を実現する。
【０１０４】
図１０は本発明の実施例のコンピュータ装置の構造模式図であり、前記コンピュータ装置は端末であってもよいし、ネットワーク装置であってもよい。図１０に示すように、コンピュータ装置１００は１つ又は複数の（図中には１つのみを示す）プロセッサ１００２（プロセッサ１００２はマイクロコントローラユニット（ＭＣＵ：Ｍｉｃｒｏ  Ｃｏｎｔｒｏｌｌｅｒ  Ｕｎｉｔ）又はフィールドプログラマブルゲートアレイ（ＦＰＧＡ：Ｆｉｅｌｄ  Ｐｒｏｇｒａｍｍａｂｌｅ  Ｇａｔｅ  Ａｒｒａｙ）等の処理装置を含んでもよいが、それらに限らない）、データを記憶するためのメモリ１００４、及び通信機能のための伝送装置１００６を備えてもよい。当業者であれば理解されるように、図１０に示される構造は模式的なものに過ぎず、上記電子装置の構造を制限するためのものではない。例えば、コンピュータ装置１００は更に図１０より多く又は少ないコンポーネントを備え、又は図１０と異なる構成を有してもよい。
【０１０５】
メモリ１００４はアプリケーションソフトウェアのソフトウェアプログラム及びモジュール、例えば本発明の実施例における方法に対応するプログラム命令／モジュールを記憶することに用いられてもよく、プロセッサ１００２はメモリ１００４に記憶されるソフトウェアプログラム及びモジュールを実行することにより、様々な機能アプリケーション及びデータ処理を実行し、つまり、上記方法を実現する。メモリ１００４は高速ランダムアクセスメモリを含んでもよく、更に不揮発性メモリ、例えば１つ又は複数の磁気記憶装置、フラッシュメモリ又は他の不揮発性固体メモリを含んでもよい。いくつかの実例では、メモリ１００４は更にプロセッサ１００２に対して遠隔設置されるメモリを含んでもよく、これらの遠隔メモリはネットワーク経由でコンピュータ装置１００に接続されてもよい。上記ネットワークの実例はインターネット、イントラネット、ローカルエリアネットワーク、移動通信ネットワーク及びそれらの組み合わせを含むが、それらに限らない。
【０１０６】
伝送装置１００６はネットワーク経由でデータを受信又は送信することに用いられる。上記ネットワークの具体的な実例はコンピュータ装置１００の通信プロバイダの提供する無線ネットワークを含んでもよい。１つの実例では、伝送装置１００６は基地局によって他のネットワーク装置に接続されることでインターネットと通信することのできる１つのネットワークインターフェースコントローラ（ＮＩＣ：Ｎｅｔｗｏｒｋ  Ｉｎｔｅｒｆａｃｅ  Ｃｏｎｔｒｏｌｌｅｒ）を備える。１つの実例では、伝送装置１００６は無線方式でインターネットと通信するための無線周波数（ＲＦ：Ｒａｄｉｏ  Ｆｒｅｑｕｅｎｃｙ）モジュールであってもよい。
【０１０７】
衝突しない限り、本発明の実施例に記載の技術案同士は任意に組み合わせられてもよい。
【０１０８】
本発明に係るいくつかの実施例では、理解すべきものは、開示される方法及びスマート機器は他の方式で実現されてもよい。以上に説明される装置実施例は模式的なものに過ぎず、例えば、前記ユニットの区分は論理機能上の区分に過ぎず、実際に実現するとき、他の区分方式があってもよく、例えば複数のユニット又はコンポーネントは他のシステムに結合又は統合されてもよく、又はいくつかの特徴は省略してもよく、又は実行しなくてもよい。一方、表示又は検討される各構成部分同士の結合又は直接結合又は通信接続はいくつかのインターフェース、装置又はユニットによる間接結合又は通信接続であってもよく、電気、機械又は他の形式であってもよい。
【０１０９】
分離部材として説明される上記ユニットは物理的に分離してもよいし、物理的に分離しなくてもよく、ユニットとして表示される部材は物理ユニットであってもよいし、物理ユニットでなくてもよく、つまり、一箇所に位置してもよいし、複数のネットワークユニットに配置されてもよく、実際の必要に応じて、その一部又は全部のユニットを選択して本実施例案の目的を実現してもよい。
【０１１０】
また、本発明の各実施例では、各機能ユニットはすべて１つの第２処理ユニットに統合されてもよく、各ユニットはそれぞれ独立して１つのユニットとされてもよく、２つ又は２つ以上のユニットは１つのユニットに統合されてもよく、上記統合されたユニットはハードウェアの形式で実現されてもよいし、ハードウェアプラスソフトウェア機能ユニットの形式で実現されてもよい。
【０１１１】
以上の説明は本発明の具体的な実施形態であって、本発明の保護範囲を制限するためのものではなく、当業者が本発明に開示される技術的範囲内で容易に想到し得る変更や置換は、いずれも本発明の保護範囲内に含まれるべきである。
【図１】
2021515439.tif 000003
【図２】
2021515439.tif 000004
【図３】
2021515439.tif 000005
【図４】
2021515439.tif 000006
【図５】
2021515439.tif 000007
【図６】
2021515439.tif 000008
【図７】
2021515439.tif 000009
【図８】
2021515439.tif 000010
【図９】
2021515439.tif 000011
【図１０】
2021515439.tif 000012
【手続補正書】
【提出日】令和2年12月17日(2020.12.17)
【手続補正１】
【補正対象書類名】特許請求の範囲
【補正対象項目名】全文
【補正方法】変更
【補正の内容】
【特許請求の範囲】
【請求項１】
ハンドオーバ方法であって、
第１アクセスネットワークと第１コアネットワークとの間の接続を変更せずに維持したまま、前記第１アクセスネットワークから第２アクセスネットワークへの端末のハンドオーバをトリガーするように、第１アクセスネットワーク要素が第２アクセスネットワーク要素へ第１ハンドオーバ要求メッセージを送信することであって、前記端末のデータが前記第２アクセスネットワークの転送によって前記第１アクセスネットワークと前記第１コアネットワークとの間で伝送されることと、
前記第１コアネットワークから第２コアネットワークへのハンドオーバをトリガーするように、前記第１アクセスネットワーク要素が第１コアネットワーク要素へ第２ハンドオーバ要求メッセージを送信することであって、前記端末のデータが前記第２アクセスネットワークと前記第２コアネットワークとの間で伝送されることと、を含む、前記ハンドオーバ方法。
【請求項２】
前記第１アクセスネットワークから第２アクセスネットワークへの端末のハンドオーバをトリガーするように、前記第１アクセスネットワーク要素が第２アクセスネットワーク要素へ第１ハンドオーバ要求メッセージを送信することは、
前記第１アクセスネットワーク要素が前記第２アクセスネットワーク要素へ第１ハンドオーバ要求メッセージを送信することと、
前記第１アクセスネットワーク要素が前記第２アクセスネットワーク要素から送信されたハンドオーバ要求確認メッセージを受信することと、
前記第１アクセスネットワーク要素が、前記端末が前記第２アクセスネットワーク要素へハンドオーバ完了メッセージを送信するように、前記端末へハンドオーバ命令を送信することと、
前記第１アクセスネットワーク要素が前記第２アクセスネットワーク要素から送信されたハンドオーバ確認メッセージを受信して、前記第１アクセスネットワークから前記第２アクセスネットワークへの前記端末のハンドオーバを完了することと、を含む
請求項１に記載の方法。
【請求項３】
前記第１ハンドオーバ要求メッセージ、前記ハンドオーバ要求確認メッセージ及び前記ハンドオーバ確認メッセージは、
前記第１アクセスネットワーク要素と前記第２アクセスネットワーク要素との間の直接インターフェースを介して伝送され、又は、
前記第１アクセスネットワーク要素と前記第２アクセスネットワーク要素との間の前記第１コアネットワーク要素及び第２コアネットワーク要素によって転送される
請求項２に記載の方法。
【請求項４】
前記ハンドオーバ要求確認メッセージには前記第２アクセスネットワークが前記端末に割り当てたリソースが含まれる
請求項２又は３に記載の方法。
【請求項５】
前記端末のデータが前記第２アクセスネットワークの転送によって前記第１アクセスネットワークと前記第１コアネットワークとの間で伝送されることは、
前記端末のアップリンクデータが前記第２アクセスネットワークに送信された後、前記第２アクセスネットワークから前記第１アクセスネットワークに転送されて、前記第１アクセスネットワークと前記第１コアネットワークとの間で伝送されることと、
前記端末のダウンリンクデータが前記第１コアネットワークから前記第１アクセスネットワークに送信された後、前記第１アクセスネットワークから前記第２アクセスネットワークに送信されて、前記第２アクセスネットワークによって前記端末に転送されることと、を含む
請求項１〜４のいずれか１項に記載の方法。
【請求項６】
ハンドオーバ方法であって、
第１アクセスネットワークと第１コアネットワークとの間の接続を変更せずに維持したまま、端末が前記第１アクセスネットワークから第２アクセスネットワークにハンドオーバされた後、第１コアネットワーク要素は第１アクセスネットワーク要素から送信された、前記第１コアネットワークから第２コアネットワークへのハンドオーバをトリガーするための第２ハンドオーバ要求メッセージを受信することを含み、前記端末のデータは、前記第１コアネットワークから前記第２コアネットワークへのハンドオーバ後に前記第２アクセスネットワークと前記第２コアネットワークとの間で伝送される、前記ハンドオーバ方法。
【請求項７】
前記第２ハンドオーバ要求メッセージには前記第１アクセスネットワークから前記第２アクセスネットワークへの端末のハンドオーバが完了したことを示すための第１指示メッセージが含まれる
請求項６に記載の方法。
【請求項８】
前記第１コアネットワーク要素が、第１アクセスネットワーク要素から送信された、前記第１コアネットワークから第２コアネットワークへのハンドオーバをトリガーするための第２ハンドオーバ要求メッセージを受信することは、
前記第１コアネットワーク要素が前記第１アクセスネットワーク要素から送信された第２ハンドオーバ要求メッセージを受信した後、セッション管理コンテキスト修正を行うことを示すための第２指示メッセージを第３コアネットワーク要素に送信することと、
前記第２コアネットワーク要素が前記第２コアネットワークにおけるターゲットリンクを確立することをトリガーするように、前記第１コアネットワーク要素が前記第２コアネットワーク要素へ第３ハンドオーバ要求メッセージを送信することと、を含む
請求項６に記載の方法。
【請求項９】
前記第２コアネットワーク要素が前記第２コアネットワークにおけるターゲットリンクを確立することは、
前記第２コアネットワーク要素が第４コアネットワーク要素との間のリンクチャネルを確立することと、
前記第２コアネットワーク要素が前記第２アクセスネットワーク要素との間のリンクチャネルを確立することと、を含む
請求項８に記載の方法。
【請求項１０】
前記第２コアネットワーク要素が前記第２コアネットワークにおけるターゲットリンクを確立した後、前記方法は、更に、
前記第１コアネットワーク要素が前記第２コアネットワーク要素から送信されたターゲットリンク確立完了メッセージを受信して、ユーザープレーン経路のハンドオーバを行うことを第５コアネットワーク要素に通知すること、及び／又は、
前記第２コアネットワーク要素がユーザープレーン経路のハンドオーバを行うことを第６コアネットワーク要素に通知することを含む
請求項８又は９に記載の方法。
【請求項１１】
前記端末のデータが前記第２アクセスネットワークと前記第２コアネットワークとの間で伝送されることは、
前記端末のアップリンクデータが前記第２アクセスネットワークに送信された後、前記第２アクセスネットワークから前記第２コアネットワークに送信されることと、
前記端末のダウンリンクデータが前記第２コアネットワークから前記第２アクセスネットワークに送信された後、前記第２アクセスネットワークから前記端末に送信されることと、を含む
請求項６〜１０のいずれか１項に記載の方法。
【請求項１２】
第１アクセスネットワークであって、
請求項１〜５のいずれか１項に記載の方法を実行するように構成される、前記第１アクセスネットワーク。
【請求項１３】
第１コアネットワーク要素であって、
請求項６〜１１のいずれか１項に記載の方法を実行するように構成される、前記第１コアネットワーク要素。
【請求項１４】
コンピュータ読み取り可能な記憶媒体であって、
コンピュータに、請求項１〜５のいずれか１項に記載の方法、又は請求項６〜１１のいずれか１項に記載の方法を実行させるためのコンピュータ実行可能命令を記憶した、前記コンピュータ読み取り可能な記憶媒体。
【国際調査報告】
2021515439.tif 000013
2021515439.tif 000014
2021515439.tif 000015
2021515439.tif 000016